(57)【要約】【課題】特定方向に曲げても、ＩＣタグの破損、通信特性の低下が生じにくいＩＣタグシートを提供する。【解決手段】基板シート１と、基板シート表面上に並列に配列された複数の棒状部材２と、棒状部材２の少なくとも１つの内部に配置されたＩＣタグ６とを備え、ＩＣタグ６の長手方向が棒状部材２の長手方向と一致する。さらに、結合上部１２に形成された上部凸部１４と、結合下部１１に形成された下部凸部１３を有する結合部３を備えることが好ましい。【選択図】図１
2007233756.tif 000002
【特許請求の範囲】
【請求項１】
基板シートと、
前記基板シート表面上に並列に配列された複数の棒状部材と、
前記棒状部材の少なくとも１つの内部に配置されたＩＣタグとを備え、
前記ＩＣタグの長手方向が前記棒状部材の長手方向と一致することを特徴とするＩＣタグシート。
【請求項２】
基板シートと、
前記基板シート表面上に並列方向に配列された複数の棒状部材と、
前記基板シートの表面または内部に配置されたＩＣタグとを備え、
前記ＩＣタグの長手方向が前記棒状部材の長手方向と一致することを特徴とするＩＣタグシート。
【請求項３】
短手方向に配列された複数の棒状部材と、
前記棒状部材間を接続する接続部材と、
前記棒状部材の少なくとも１つの内部に配置されたＩＣタグとを備え、
前記ＩＣタグの長手方向が前記棒状部材の長手方向と一致することを特徴とするＩＣタグシート。
【請求項４】
前記棒状部材は前記基板シートより縦弾性係数が高い請求項１または２記載のＩＣタグシート。
【請求項５】
両端に互いに結合する結合部を備えた請求項１〜４のいずれか一項に記載のＩＣタグシート。
【請求項６】
前記基板シートの前記棒状部材が配列された側と反対側の面上に吸盤を備えた請求項１、２、４または５記載のＩＣタグシート。
【請求項７】
前記ＩＣタグは、前記基板シートと前記吸盤に挟まれて配置された請求項６記載のＩＣタグシート。
【請求項８】
前記吸盤は、吸盤シートとして形成された請求項６または７記載のＩＣタグシート。
【発明の詳細な説明】
【技術分野】
【０００１】
本発明は、ＩＣタグを備えたＩＣタグシートに関する。
【背景技術】
【０００２】
近年、製品のトレーサビリティあるいは料金精算などの情報管理の観点からバーコードやＩＣタグが用いられるようになっている。現在、製品の情報管理はバーコードが主流である。バーコードは、製品やパッケージ等に印刷されるため、安価に付すことができるという利点がある。しかし、バーコードは情報量が少なく、製品の詳細な管理を行うことができない。
【０００３】
一方、ＩＣタグはバーコードよりはるかに多くの情報を記憶することができるため、製品の詳細な管理を行うことができる。また、ＩＣタグはリーダーからエネルギーの供給を受ける構成にすることができるため、バッテリを必要としない。また、ＩＣタグは、汚れや付着物が付いた場合にも読み取りが可能であり、維持管理に関してバーコードより優れている。さらに、ＩＣタグは情報の追記および変更が可能であり、繰り返し使用することができる。近年、ＩＣタグの単価が低下するにつれて、ＩＣタグの需要が急速に増加している。
【０００４】
図１７は、一般的なＩＣタグの構成（例えば、特許文献１参照）を模式的に示す平面図である。チップモジュール２０１は、外部からの書込み時に情報を記憶し、読み出し時に、記憶している情報を出力するモジュールである。アンテナモジュール２０２は、外部（リーダー）との間で、無線伝送により情報を送受信するモジュールである。アンテナモジュール２０２は、ダイポールアンテナの場合、外部と送受信する電磁波の周波数により長さ（一般的には１／２波長）が決定され、例えば、２．４５ＧＨｚでは、１／２波長は６１ｍｍである。チップモジュール２０１およびアンテナモジュール２０２は、それぞれ独立して形成され、接合技術を用いて接合されている。
【０００５】
ＩＣタグのアンテナモジュール２０２は、上述のように６１ｍｍと長く、またはコイルアンテナを用いる場合は、コイルが例えば１８ｍｍ×３２ｍｍの領域で形成され、大きな面積をとる。これらのＩＣタグは、特にチップモジュール２０１とアンテナモジュール２０２の接合部およびアンテナモジュール２０２において、曲げにより切断および変形されやすく、通信特性が低下する。このため、ＩＣタグは、プラスチックのカードに形成されるか、ラベルに形成されて固形物に貼り付けられることが一般的である。
【特許文献１】特開２０００−２２２５４０号公報
【発明の開示】
【発明が解決しようとする課題】
【０００６】
配線、釣竿などの線状製品は、形状が単純であるため、目視により種別や長さなどの仕様を判断しにくい。さらに、複数種の配線を接続して構成される配線では汎用配線であってもその組み合わせにより特性が変化し、さらに配線の組み変えが行われた場合には特性が変化するため、バーコードなど書き換え不可能なタグでは管理が困難である。
【０００７】
一方、ＩＣタグは、書き換え可能であるが、曲げに弱く配線に巻き付けて配線管理を行うことが困難である。また、ＩＣタグの曲げに対する強度を用途ごとに上げると費用が高くなるので問題である。
【０００８】
本発明は、上記問題を解決するためになされたものであり、特定方向に曲げても、ＩＣタグの破損、通信特性の低下が生じにくいＩＣタグシートを提供することを目的とする。
【課題を解決するための手段】
【０００９】
上記課題を解決するために、本発明の第１のＩＣタグシートは、基板シートと、前記基板シート表面上に並列に配列された複数の棒状部材と、前記棒状部材の少なくとも１つの内部に配置されたＩＣタグとを備え、前記ＩＣタグの長手方向が前記棒状部材の長手方向と一致することを特徴とする。
【００１０】
また、本発明の第２のＩＣタグシートは、基板シートと、前記基板シート表面上に並列方向に配列された複数の棒状部材と、前記基板シートの表面または内部に配置されたＩＣタグとを備え、前記ＩＣタグの長手方向が前記棒状部材の長手方向と一致することを特徴とする。
【００１１】
また、本発明の第３のＩＣタグシートは、短手方向に配列された複数の棒状部材と、前記棒状部材間を接続する接続部材と、前記棒状部材の少なくとも１つの内部に配置されたＩＣタグとを備え、前記ＩＣタグの長手方向が前記棒状部材の長手方向と一致することを特徴とする。
【発明の効果】
【００１２】
本発明によれば、特定方向に曲げても、ＩＣタグの破損、通信特性の低下が生じにくいＩＣタグシートを提供することができる。
【発明を実施するための最良の形態】
【００１３】
本発明のＩＣタグシートにおいて、前記棒状部材は前記基板シートより縦弾性係数が高い構成にすることもできる。この構成により、ＩＣタグシートは、棒状部材の長手方向には曲げ不可能に、短手方向には曲げ可能に構成することができる。
【００１４】
また、両端に互いに結合する結合部を備えた構成にすることができる。この構成により、ＩＣタグシートを取り付け対象物に巻き付けることができる。
【００１５】
また、前記基板シートの前記棒状部材が配列された側と反対側の面上に吸盤を備えた構成にすることもできる。この構成により、ＩＣタグシートを取り付け対象物に吸着させ、ＩＣタグシートを固定することができる。
【００１６】
また、前記ＩＣタグは、前記基板シートと前記吸盤に挟まれて配置された構成にすることができる。この構成により、ＩＣタグシートは、ＩＣタグの長手方向に曲がらず、ＩＣタグの破損、特性の低下を防ぐことができる。
【００１７】
また、前記吸盤は、吸盤シートとして形成された構成にすることもできる。この構成により、基板シートに容易に吸盤を形成することができる。
【００１８】
以下、本発明のＩＣタグシートの実施の形態について図面を参照しながら説明する。
【００１９】
（実施の形態１）
図１は、本発明の実施の形態１に係るＩＣタグシート１１０の一構成例を示す斜視図である。基板シート１は、曲げ可能な樹脂などで形成されている。基板シート１上には、棒状に形成された複数のスティック２（棒状部材）が並列に配列されている。配列されたスティック２の少なくとも１つには、ＩＣタグが（図１には示さず）封止されている。基板シート１の両端には、結合部３が形成されている。結合部３同士を接続することにより、取り付け対象物（図示せず）に巻き付けてＩＣタグシートを固定することができる。
【００２０】
以下、各部について詳細に説明する。まず、スティック２について説明する。スティック２は、基板シート１より縦弾性係数が高い部材が好ましい。基板シート１上にスティック２を並列に配列することにより、ＩＣタグシート１１０をスティック２の長手方向（不可曲方向）には曲げることができず、短手方向（可曲方向）には曲げることができる。なお、ＩＣタグシート１１０には、不可曲方向に掛かる最大の力に対し、ＩＣタグが変形しない程度の本数のスティック２を設けることが好ましい。
【００２１】
なお、スティック２の断面形状は、図１に示した半円に限らず、用途に合わせて、円、直方体、楕円、多角形などとすることもできる。また、基板シート１上に適切な隙間を設けてスティック２を配置した構成にすることもできる。この構成により可曲方向に力が加わった際に、隣接するスティック２同士が引っかからずにＩＣタグシート１１０が曲がることができる。さらに、スティック２上に樹脂を形成し、表面を平らにする構成にすることもできる。
【００２２】
次に、ＩＣタグとスティック２の位置関係について説明する。図２Ａは、本実施の形態に係るＩＣタグシート１１０に配置されたＩＣタグ内蔵のスティック２の構成を示す斜視図である。ＩＣタグ６は、チップモジュール４およびアンテナモジュール５を有している。アンテナモジュール５は、ダイポールアンテナである。ＩＣタグ６は、スティック２の内部に封止され、スティック２の長手方向（不可曲方向）にアンテナモジュール５の長手方向が一致するように配置されている。この構成により、ＩＣタグシート１１０は、アンテナモジュール５の長手方向に曲げられないが、短手方向（可曲方向）には曲げることができ、ＩＣタグ６自体は曲がることがないため、破損、特にアンテナモジュール５とチップモジュール４との接合部およびアンテナモジュール５の切断、変形を防ぐことができる。なお、ＩＣタグ６がスティック２に入る形状であれば、コイルアンテナなどを用いたＩＣタグを用いることができる。
【００２３】
また、スティック２にＩＣタグ６を内蔵する構成は、別の構成であっても良い。図２Ｂは、本実施の形態に係るＩＣタグシート１１０に配置されたＩＣタグ６内蔵のスティック２の変形例を示す斜視図である。スティック２ｂには、ＩＣタグ６が設置される空洞２ｄが設けられ、端部に設けられたキャップ２ｃによりＩＣタグ６を取り出し可能である。なお、空洞２ｄはＩＣタグ６が破損しないようにＩＣタグ６の形状に合わせて形成されていることが好ましい。この構成により、ＩＣタグ６の再利用も可能となる。
【００２４】
以上のように、ＩＣタグ６をスティック２に封止する構成により、ＩＣタグ６を取り付け対象物のたわみ、人為的な損傷のみならず、汚れによる損傷、衝撃による損傷などから防ぐことができる。
【００２５】
次に、結合部３について説明する。図１において、ＩＣタグシート１１０の端部には、基板シート１の上部が削られた結合下部１１が形成され、もう一端の端部には、基板シート１の下部が削られた結合上部１２が形成されている。結合下部１１には、スティック２の長手方向に２本の下部凸部１３が設けられている。さらに、結合上部１２には、スティック２の長手方向に下部凸部１３と嵌合する２本の上部凸部１４が設けられ、下部凸部１３および上部凸部１４により二重構造のビニルチャックが形成されている。
【００２６】
この構成により、ＩＣタグシート１１０を取り付け対象物に巻き付けることができる。
【００２７】
また、複数枚のＩＣタグシート１１０の結合部３同士を接続し、大きい取り付け対象物に対しても巻き付けることができる。
【００２８】
また、下部凸部１３および上部凸部１４を３以上備える構成にしてもよい。この構成により、接合強度を補強するあるいは、取り付け対象物の大きさに応じて巻き付け長さを調節することができる。
【００２９】
また、ビニルチャックに変えて、結合下部１１および結合上部１２に面ファスナーを設ける構成にすることもできる。この構成において、取り付け対象物の大きさに応じて巻き付け長さを調節することができる。
【００３０】
また、図３は、本実施の形態に係るＩＣタグシート１１０の結合部３の変形例としての結合部３ａの構成を示す断面図である。結合部３ａは、基板シート１の一端の面に形成された球状の凸部１５ａと、もう一端の面に形成された球状の凹部１６ａで構成されている。ＩＣタグシート１１０は、凸部１５ａと凹部１６ａが嵌合して取り付け対象物に巻き付けられる。
【００３１】
また、図４は、本実施の形態に係るＩＣタグシート１１０の結合部３の変形例としての結合部３ｂの構成を示す断面図である。結合部３ｂは、結合下部１１に形成された球状の凸部１５ｂと、結合上部１２に形成された球状の凹部１６ｂにより構成されている。ＩＣタグシート１１０は、凸部１５ｂと凹部１６ｂが嵌合して取り付け対象物に巻き付けられる。
【００３２】
また、図５は、図４に示す結合部３ｂの凸部１５ｂおよび凹部１６ｂを複数個設けた結合部３ｃの構成を示す断面図である。ＩＣタグシート１１０は、凸部１５ｂと凹部１６ｂが嵌合して取り付け対象物に取り付けられる。このＩＣタグシート１１０は、凸部１５ｂと凹部１６ｂの嵌合位置をずらすことにより、取り付け長さを調節することができる。
【００３３】
図６は、本実施の形態に係るＩＣタグシート１１０を、取り付け対象物としての配線１７に取り付けた場合の斜視図である。ＩＣタグシート１１０は可曲方向に曲げられて複数の配線１７を束ねている。ＩＣタグシート１１０のＩＣタグ６には、配線１７の抵抗、材質、長さ、直径等の配線の特性が記録されており、リーダーにより記録情報を読み出し可能である。このように使用することにより、容易に、配線１７の特性を確認することができる。
【００３４】
以上のように、本実施の形態に係るＩＣタグシート１１０は、一方向（可曲方向）に曲げることができ、曲げによりＩＣタグ６が変形、切断することを防ぐことができる。
【００３５】
なお、ＩＣタグシート１２０は、ＩＣタグ６が図７に示すように、スティック２ではなく、基板シート１上に形成された構成にすることもできる。図７では、一部のスティック２が基板シート１から離れているが、これはＩＣタグ６を表すためであり、実際には基板シート１とスティック２は接着されている。この場合、スティック２の長手方向とＩＣタグ６の長手方向が一致して配置されていれば、ＩＣタグ６が長手方向に曲げられないため、ＩＣタグ６の破損、切断、特性低下を防ぐことができる。
【００３６】
また、ＩＣタグシート１３０は、ＩＣタグ６が図８に示すように、スティック２ではなく、基板シート１内に形成された構成にすることもできる。図８では、図７と同様に一部のスティック２が基板シート１から離れているが、これはＩＣタグ６を表すためであり、実際には基板シート１とスティック２は接着されている。この場合、スティック２の長手方向とＩＣタグ６の長手方向が一致して配置されていれば、ＩＣタグ６が長手方向に曲げられないため、ＩＣタグ６の破損、切断、特性低下を防ぐことができる。
【００３７】
（実施の形態２）
図９は、本発明の実施の形態２に係るＩＣタグシート１４０の構成を示す断面図である。本実施の形態に係るＩＣタグシート１４０は、実施の形態１に係るＩＣタグシート１１０の基板シート１のスティック２が形成された面と反対側の面に吸盤シート７が形成された構成である。本実施の形態に係るＩＣタグシート１４０において、実施の形態１に係るＩＣタグシート１１０と同一の構成要素については、同一の符号を付して説明を省略する。
【００３８】
吸盤シート７は、一面が基板シート１に接着され、もう一面に吸盤が配置されている。図１０は、吸盤シート７の吸盤７ａが配置された面の構成を示す斜視図である。直径５ｍｍ、高さ５０μｍの吸盤７ａが配列されている。吸盤シート７は、ポリオレフィン系の合成樹脂、ポリエステル樹脂、ポリ塩化ビニル樹脂などのシートに可撓性のある吸盤用インクを用いてスクリーン印刷法等の方法により形成する。このため、吸盤の形状、大きさを自由に設定することができる。吸盤を取り付け対象物に吸着させることができるため、ＩＣタグシート１４０を固定することができる。吸盤シート７を用いることにより、接着剤や引っ掛け、絡むような仕様ではないため、取り付け対象物を損傷させることも少ない。
【００３９】
ＩＣタグ６は、スティック２に形成されていても良いが、基板シート１と吸盤シート７の間に配置された構成にすることもできる。図１１は、基板シート１と吸盤シート７を貼り合わせたＩＣタグシート１４０の構成を示す分解斜視図である。ＩＣタグシート１４０は、基板シート１と吸盤シート７を貼り付ける工程において、ＩＣタグ６を吸盤シート７上の所定の位置に配置して形成される。
【００４０】
なお、ＩＣタグ６の長手方向をスティック２の長手方向に一致させて配置する。この構成により、ＩＣタグシート１４０の曲げによるＩＣタグ６の損傷を防ぐことができる。また、ＩＣタグ６を人為的な損傷、汚れによる損傷、衝撃による損傷などから防ぐこともできる。さらに、スティック２あるいは基板シート１内にＩＣタグ６を配置するより、スティック２および基板シート１内にＩＣタグ６を封止する工程の必要がなくなるため、ＩＣタグシート１４０を安価に製造することができる。
【００４１】
図１１に示すように、図１、図４、図５における結合部３の結合下部１１が吸盤シート７の吸盤が形成されていない面に形成され、結合上部１２が基板シート１の裏面に形成された構成にすることもできる。なお、図３に示す結合部３ａは、吸盤シート７と一体成型される構成にすることもできる。
【００４２】
図１２（ａ）は、本実施の形態に係るＩＣタグシート１４０を配線１７に取り付けた場合の斜視図であり、図１２（ｂ）はその断面図である。配線１７にＩＣタグシート１４０を取り付けると、吸盤シート７の吸盤７ａは配線１７に吸着し、ＩＣタグシート１４０を配線１７に固定する。なお、上述したように吸盤７ａはスクリーン印刷法等により形成されるため、数ｍｍ程度の径の吸盤７ａを形成することが可能である。そのため、複数の半径の小さい配線１７が取り付け対象物である場合にも、吸盤７ａが配線１７表面に吸着することができ、ＩＣタグシート１４０を固定することができる。
【００４３】
また、取り付け対象物が複数の配線１７で構成される場合などにおいて、取り付け対象物に吸着していない吸盤７ａにおいても、吸盤７ａの形状による凹凸のため、配線の荷崩れを防止する効果が生じる。
【００４４】
本実施の形態に係るＩＣタグシート１４０は、取り付け対象物に巻き付けて固定するだけでなく、ポリプロピレンなどの軟性部材、あるいは例えば円柱側面のような柱面を有する固形物に貼り付けて使用することもできる。スティック２によりＩＣタグシート１４０の曲げ方向が限定されるため、軟性部材に貼り付けてもＩＣタグ６が破損することを防ぐことができる。このように使用する場合には、接合部３を設ける必要はない。
【００４５】
なお、本実施の形態において、ビニルチャックが形成された下部凸部１３に、ＩＣタグ６を内蔵するＩＣタグプレートを取り付ける構成にすることもできる。図１３は、接合部３に配置可能なＩＣタグプレート２０の構成を示す分解斜視図である。ＩＣタグ６は、基板シート１と同様な材料でできた封止樹脂１８内に配置されている。封止樹脂１８は、直方形状に形成され、一面にスティック２と同程度の縦弾性係数を有する材料により形成されたプレート１９が配置されている。また、プレート１９が形成された面と対向する面には、上部凸部１４が形成され、結合部３の下部凸部１３に嵌合可能である。
【００４６】
なお、プレート１９に代えて、スティック２を用いてもよい。また、このＩＣタグプレート２０が配置されるＩＣタグシート１４０自体には、ＩＣタグ６が配置されていてもよいし、配置されていなくてもよい。
【００４７】
また、ＩＣタグプレート２０の上部凸部１４の形成されている面には、接合する結合下部１１に応じて、面ファスナー、吸盤が形成されていても良い。ＩＣタグプレート２０を設けることにより、ＩＣタグの交換が容易であり、ＩＣタグを用途に応じて、容量、伝送距離などの特性を使い分けることができる。
【００４８】
図１４は、取り付け対象物に巻き付けて固定して使用するＩＣタグシート１４０の変形例としてのＩＣタグシート１５０の構成を示す斜視図である。ＩＣタグシート１５０は、吸盤シート７の吸盤を基板シート１の表面に吸着させて、取り付け対象物に固定する構成である。この場合には、スティック２の形状に応じて吸盤径を小さくして、スティック２に吸着させても良いが、吸着面積が小さくなり、結合力が小さくなる。そこで、吸着面積を大きくするために、ＩＣタグシート１５０は、基板シート１のスティック２を樹脂などのカバー部材２１で覆い、スティック２を基板シート１内に包んで、表面を平面にした構成である。この構成により、巻き付けおよび取り外しを容易にし、かつ繰り返し取り付けることが可能となる。さらに、吸盤と表面を吸着させるため、取り付け対象物の大きさに応じて巻き付け長さを調節可能である。
【００４９】
以上のように、本実施の形態に係るＩＣタグシート１４０および１５０は、一方向に曲げることができ、曲げによりＩＣタグ６が変形、切断することを防ぐことができる。
【００５０】
なお、吸盤シートの７の吸盤７ａは、図１０に示した大きさ、形状に限定されず、矩形、多角形などの形状でもよい。
【００５１】
（実施の形態３）
図１５は、本発明の実施の形態３に係るＩＣタグシート１６０の構成を示す斜視図である。本実施の形態に係るＩＣタグシート１６０は、実施の形態１に係るＩＣタグシート１１０の基板シート１を取り除き、スティック２をすだれ状に結合した構成である。本実施の形態に係るＩＣタグシート１６０において、実施の形態１に係るＩＣタグシート１１０と同一の構成要素については、同一の符号を付して説明を省略する。
【００５２】
ＩＣタグシート１６０は、短手方向に配列された円柱形状のスティック２により形成され、そのうちの少なくとも１つのスティック２には、ＩＣタグ６が内蔵されている。スティック２は、繊維状の結合部材２２により編まれ、結合されている。そのため、ＩＣタグシート１６０は、スティック２の短手方向には曲げ可能であり、長手方向には曲げ不可能に形成される。つまり、ＩＣタグシート１６０は、アンテナモジュール５の長手方向に曲げられないが、短手方向には曲げることができ、ＩＣタグ６の破損、特にアンテナモジュール５とチップモジュール４との接合部およびアンテナモジュール５の切断および変形を防ぐことができる。
【００５３】
なお、スティック２の結合部材２２は繊維状である必要はなく、曲げ可能な樹脂などによりスティック２同士を接着する構成にすることもできる。
【００５４】
また、ＩＣタグシート１６０には結合部３ｄとして鉤型形状の止め具が設けられており、適切な位置のスティック２に引っ掛けることにより、取り付け対象物の大きさに応じて巻き付けることができる。また、結合部３ｄは鉤型形状の止め具に限定されず、例えば吸盤を用いてスティック２に吸着させる構成にすることもできる。
【００５５】
また、図１６は、ＩＣタグシートの結合部３ｄの変形例としての結合部３ｅの構成を示す構成図である。ＩＣタグシート１７０の結合部３ｅは、ＩＣタグシート１７０の両端に形成されたスティック２ｄと、Ｕ形状の接合治具２３により構成されている。スティック２ｄの内部には、空洞２ｅが形成されている。接合治具２３は、空洞２ｅに挿入可能である。接合治具２３をスティック２ｄの空洞２ｅに挿入することにより、容易に取り付け対象物に巻き付けることができる。
【００５６】
また、ＩＣタグシート１６０は、巻き取り内面に凹凸が生じている。従って、巻き取り対象物が複数ある場合には、荷崩れ防止効果が得られる。
【００５７】
また、ＩＣタグシート１６０の巻き付け内面に吸盤を取り付ける構成にすることもできる。
【００５８】
以上のように、本実施の形態に係るＩＣタグシート１６０は、一方向に曲げることができ、曲げによりＩＣタグ６が変形、切断することを防ぐことができる。
【００５９】
なお、本発明は、実施の形態１〜３に限定されず、特に図に示したスティック２の本数等に限定されるものではない。
【産業上の利用可能性】
【００６０】
本発明のＩＣタグシートは、一方向に曲げることができ、曲げによりＩＣタグ６が変形、切断することを防ぐことができるという利点を有し、製造業、流通業など製品管理の分野において利用可能である。
【図面の簡単な説明】
【００６１】
【図１】本発明の実施の形態１に係るＩＣタグシートの構成を示す斜視図
【図２Ａ】同上ＩＣタグシートのスティックの構成を示す斜視図
【図２Ｂ】同上ＩＣタグシートのスティックの別の構成を示す斜視図
【図３】同上ＩＣタグシートに係る結合部の構成を示す断面図
【図４】同上ＩＣタグシートに係る結合部の別の構成を示す断面図
【図５】同上ＩＣタグシートに係る結合部の別の構成を示す断面図
【図６】配線に巻き付けた本発明の実施の形態１に係るＩＣタグシートを示す斜視図
【図７】本発明の実施の形態１に係るＩＣタグシートの別の構成を示す分解斜視図
【図８】同上ＩＣタグシートの別の構成を示す分解斜視図
【図９】本発明の実施の形態２に係るＩＣタグシートの構成を示す断面図
【図１０】同上ＩＣタグシートの吸盤シートの構成を示す斜視図
【図１１】同上ＩＣタグシートの構成を示す分解斜視図
【図１２】（ａ）は配線に巻き付けた同上ＩＣタグシートを示す斜視図、（ｂ）はその断面図
【図１３】同上ＩＣタグシートの接合部に取り付けるＩＣタグプレートを示す分解斜視図
【図１４】同上ＩＣタグシートの別の構成を示す斜視図
【図１５】本発明の実施の形態３に係るＩＣタグシートの構成を示す斜視図
【図１６】同上ＩＣタグシートに係る結合部の別の構成を示す断面図
【図１７】ＩＣタグの構成を示す平面図
【符号の説明】
【００６２】
１  基板シート
２、２ｂ、２ｄ  スティック
２ｃ  キャップ
２ｅ  空洞
３、３ａ、３ｂ、３ｃ、３ｄ、３ｅ  結合部
４  チップモジュール
５  アンテナモジュール
６  ＩＣタグ
７  吸盤シート
７ａ  吸盤
１１  結合下部
１２  結合上部
１３  下部凸部
１４  上部凸部
１５ａ、１５ｂ、１５ｃ  凸部
１６ａ、１６ｂ、１６ｃ  凹部
１７  配線
１８  封止樹脂
１９  プレート
２０  ＩＣタグプレート
２１  カバー部材
２２  結合部材
２３  結合治具
１１０、１２０、１３０、１４０、１５０、１６０  ＩＣタグシート
【図１】
2007233756.tif 000003
【図２Ａ】
2007233756.tif 000004
【図２Ｂ】
2007233756.tif 000005
【図３】
2007233756.tif 000006
【図４】
2007233756.tif 000007
【図５】
2007233756.tif 000008
【図６】
2007233756.tif 000009
【図７】
2007233756.tif 000010
【図８】
2007233756.tif 000011
【図９】
2007233756.tif 000012
【図１０】
2007233756.tif 000013
【図１１】
2007233756.tif 000014
【図１２】
2007233756.tif 000015
【図１３】
2007233756.tif 000016
【図１４】
2007233756.tif 000017
【図１５】
2007233756.tif 000018
【図１６】
2007233756.tif 000019
【図１７】
2007233756.tif 000020